(57)【要約】【課題】ノイズなどの影響を低減しながら、受信側負荷の消費電力に応じて最適な電力を供給し、消費電力を大幅に低減する。【解決手段】受信側負荷Ｌの電源電圧が下限電圧しきい値よりも低下または上限電圧しきい値よりも上昇したことを電位差検出部１２が検出すると、バースト間隔設定部１３は検出結果に応じたパルス幅のバースト信号を設定する。バースト信号発生部１４は、その設定に基づいてバースト信号を発生し、制御一次側インダクタ１６を励磁する。バースト信号検出部７は、制御二次側インダクタ１０の起電力を受けてパルス信号を発生する。パルス幅調整部６は、無信号時間測定部８が測定したパルス信号の無信号期間から、受信側負荷Ｌの電圧値の低下、または上昇を判定し、電力一次側インダクタ９を励磁させる時間を変化または励磁させる回数を増減するように交流発生部５からの信号を加工して出力する。【選択図】図１
2011155793.tif 000002
【特許請求の範囲】
【請求項１】
電力を送信する電力送信部と、前記電力送信部から送信された電力を受信し、受信側負荷に電力を供給する電力受信部とを有し、前記電力送信部から送信した電力を非接触によって受信し、前記電力受信部に接続された前記受信側負荷に電力を供給する電力供給システムであって、
前記電力受信部は、
前記受信側負荷の電力が不足、または過剰となった際に、電力が不足、または過剰したことを知らせるバースト信号を発生し、
前記電力送信部は、
前記電力受信部が発生したバースト信号の信号間隔に基づいて、前記電力受信部に送信する電力の増減を制御することを特徴とする電力供給システム。
【請求項２】
請求項１記載の電力供給システムにおいて、
前記電力受信部は、
磁界変化を受けて起電力を発生する電力二次側インダクタと、
前記電力二次側インダクタの両端に発生する交流電圧を直流に変換する整流器と、
前記整流器から出力される前記受信側負荷に供給される電圧レベルを測定し、測定した前記電圧レベルに応じて前記バースト信号を出力する間隔を調整して前記バースト信号を出力する電力受信電圧調整部と、
前記電力受信電圧調整部が発生したバースト信号に基づいて励磁する制御一次側インダクタとを備え、
前記電力送信部は、
交流信号に基づいて励磁する電力一次側インダクタと、
前記制御一次側インダクタの磁界変化を受けて起電力を発生する制御二次側インダクタと、
前記制御二次側インダクタの両端に発生する交流信号から、前記バースト信号を検出し、検出した前記バースト信号から出力間隔を測定して前記受信側負荷の電力が不足であるか、または過剰となっているかを判定し、前記電力一次側インダクタに供給する交流信号を制御して前記電力受信部に送信する電力増減を制御する電力送信電圧調整部とを備えたことを特徴とする電力供給システム。
【請求項３】
請求項２記載の電力供給システムにおいて、
前記電力受信電圧調整部は、
前記整流器から出力される前記受信側負荷に供給される電圧レベルが、下限電圧しきい値よりも低いか、前記下限電圧しきい値よりも高い上限電圧しきい値よりも高いか、または前記下限電圧しきい値と前記上限電圧しきい値との間の基準電圧範囲内であるかを検出する電圧検出部と、
前記電圧検出部が検出した電圧レベルに基づいて、前記バースト信号を出力する間隔を設定するバースト間隔設定部と、
前記バースト間隔設定部が設定した間隔で前記バースト信号を発生させて出力するバースト信号発生部とよりなり、
前記電力送信電圧調整部は、
前記制御二次側インダクタの両端に発生する交流信号から、前記バースト信号が伝送されたことを検出するバースト信号検出部と、
前記バースト信号検出部が検出したバースト信号の出力間隔を測定する間隔測定部と、
前記間隔測定部が測定したバースト信号の出力間隔に基づいて、前記受信側負荷の電力が不足であるか、または過剰となっているかを判定し、前記電力一次側インダクタに供給する交流信号を制御し、前記電力一次側インダクタを励磁させる時間、または励磁させる回数を増減させる調整部とよりなることを特徴とする電力供給システム。
【請求項４】
請求項１記載の電力供給システムにおいて、
前記電力受信部は、
磁界変化を受けて起電力を発生する電力二次側インダクタと、
前記電力二次側インダクタの両端に発生する交流電圧を直流に変換する整流器と、
前記整流器から出力される前記受信側負荷に供給される電圧レベルを測定し、測定した前記電圧レベルに応じて前記バースト信号を出力する間隔を調整して前記バースト信号を出力する電力受信電圧調整部と、
前記電力二次側インダクタの一方の端部と前記整流器との間に接続され、前記電力受信電圧調整部が発生したバースト信号に基づいてオン／オフ動作し、前記電力二次側インダクタの直列インピーダンスを変化させるスイッチ部とを備え、
前記電力送信部は、
交流信号に基づいて励磁する電力一次側インダクタと、
前記電力一次側インダクタと寄生容量により生じる共振周波数を除去するフィルタ部と、
前記フィルタ部から出力される信号からバースト信号を検出し、検出した前記バースト信号から出力間隔を測定して前記受信側負荷の電力が不足であるか、または過剰となっているかを判定し、前記電力一次側インダクタに供給する交流信号を制御して前記電力受信部に送信する電力増減を制御する電力送信電圧調整部とを備えたことを特徴とする電力供給システム。
【請求項５】
請求項４記載の電力供給システムにおいて、
前記電力受信電圧調整部は、
前記整流器から出力される前記受信側負荷に供給される電圧レベルが、下限電圧しきい値よりも低いか、前記下限電圧しきい値よりも高い上限電圧しきい値よりも高いか、または前記下限電圧しきい値と前記上限電圧しきい値との間の基準電圧範囲内であるかを検出する電圧検出部と、
前記電圧検出部が検出した電圧レベルに基づいて、前記バースト信号を出力する間隔を設定するバースト間隔設定部と、
前記バースト間隔設定部が設定した間隔で前記バースト信号を発生させ、前記スイッチ部を動作制御するバースト信号発生部とよりなり、
前記電力送信電圧調整部は、
前記フィルタ部から出力されるバースト信号と前記電力一次側インダクタの励磁信号とが合わさった信号から、バースト信号を検出するバースト信号検出部と、
前記バースト信号検出部が検出したバースト信号の出力間隔を測定する間隔測定部と、
前記間隔測定部が測定したバースト信号の出力間隔に基づいて、前記受信側負荷の電力が不足であるか、または過剰となっているかを判定し、前記電力一次側インダクタに供給する交流信号を制御し、前記電力一次側インダクタを励磁させる時間、または励磁させる回数を増減させる調整部とよりなることを特徴とする電力供給システム。
【発明の詳細な説明】
【技術分野】
【０００１】
本発明は、非接触による電力の供給技術に関し、特に、受信側負荷の消費電力に応じた電力供給の制御に有効な技術に関する。
【背景技術】
【０００２】
プリンタのインクカートリッジなどのように頻繁に交換を行う部品に通電させる場合、電極の磨耗、腐食やゴミが挟まることによって接触不良を起こす危険性がある。そこで、インクカートリッジとプリンタ本体との通信や電力供給などを非接触により行う技術が広く用いられている。
【０００３】
この種の非接触による電力供給技術については、たとえば、プリンタ本体とインクカートリッジとの間にインダクタを対向させて設置し、電流変化を発生させた後にインダクタの一次巻線に流し、二次巻線の両端に現れた交流電圧をダイオードブリッジを通して直流化してインクカートリッジに供給するものが知られている（特許文献１参照）。
【先行技術文献】
【特許文献】
【０００４】
【特許文献１】特開２０００−５８３５６号公報
【発明の概要】
【発明が解決しようとする課題】
【０００５】
ところが、上記のような非接触の電力供給技術では、次のような問題点があることが本発明者により見い出された。
【０００６】
すなわち、電力を非接触で結合させた場合、結合間の距離や状態により伝送効率が変わるため、電力量を過剰に送信させる必要がある。この結果、受信側で消費した後の余剰電力は捨てられることになり、消費電力が増大してしまうという問題がある。
【０００７】
電力の受信側において電力消費量をフィードバックし、送信側の電力送信量を調整できれば過剰に電力を送信する必要はなくなるが、磁界による結合の場合、電流変化しか伝達せず、’０’（Ｌｏ）、’１’（Ｈｉ）の電圧レベルが伝送できない結果、送信電力が不足／過剰／適量の３通りのフィードバックを磁界結合で伝えるのは困難である。
【０００８】
また、特許文献１において、プリンタ本体への通信は、新たなインダクタを対向させた上で、高い周波数の交流電流は’１’の送信、低い周波数の交流電流は’０’の送信を表すよう構成し、復調しているが、この通信をインダクタに流す交流信号の周波数の差で’０’、’１’と判別する技術は、共振やノイズの波形と区別が付き難いという問題がある。
【０００９】
その結果、’１’と’０’とを誤って復調してしまう恐れがあり、電力量の送信制御にこの通信技術を用いた場合には、制御が不能になる危険性が生じてしまうことになる。
【００１０】
本発明の目的は、ノイズなどの影響を低減しながら、受信側負荷の消費電力に応じて最適な電力を供給することにより、消費電力を大幅に低減することのできる非接触による電力供給技術を提供することにある。
【００１１】
本発明の前記ならびにそのほかの目的と新規な特徴については、本明細書の記述および添付図面から明らかになるであろう。
【課題を解決するための手段】
【００１２】
本願において開示される発明のうち、代表的なものの概要を簡単に説明すれば、次のとおりである。
【００１３】
本発明は、電力を送信する電力送信部と、該電力送信部から送信された電力を受信し、受信側負荷に電力を供給する電力受信部とを有し、電力送信部から送信した電力を非接触によって受信し、電力受信部に接続された受信側負荷に電力を供給する電力供給システムであって、電力受信部は、受信側負荷の電力が不足、または過剰となった際に、電力が不足、または過剰したことを知らせるバースト信号を発生し、電力送信部は、電力受信部が発生したバースト信号の信号間隔に基づいて、電力受信部に送信する電力の増減を制御するものである。
【００１４】
また、本発明は、前記電力受信部が、磁界変化を受けて起電力を発生する電力二次側インダクタと、該電力二次側インダクタの両端に発生する交流電圧を直流に変換する整流器と、該整流器から出力される受信側負荷に供給される電圧レベルを測定し、測定した電圧レベルに応じてバースト信号を出力する間隔を調整してバースト信号を出力する電力受信電圧調整部と、該電力受信電圧調整部が発生したバースト信号に基づいて励磁する制御一次側インダクタとを備え、前記電力送信部が、交流信号に基づいて励磁する電力一次側インダクタと、制御一次側インダクタの磁界変化を受けて起電力を発生制御二次側インダクタと、該制御二次側インダクタの両端に発生する交流信号から、バースト信号を検出し、検出したバースト信号から出力間隔を測定して受信側負荷の電力が不足であるか、または過剰となっているかを判定し、電力一次側インダクタに供給する交流信号を制御して電力受信部に送信する電力増減を制御する電力送信電圧調整部とを備えたものである。
【００１５】
さらに、本発明は、前記電力受信電圧調整部が、整流器から出力される受信側負荷に供給される電圧レベルが、下限電圧しきい値よりも低いか、下限電圧しきい値よりも高い上限電圧しきい値よりも高いか、または下限電圧しきい値と上限電圧しきい値との間の基準電圧範囲内であるかを検出する電圧検出部と、該電圧検出部が検出した電圧レベルに基づいて、バースト信号を出力する間隔を設定するバースト間隔設定部と、該バースト間隔設定部が設定した間隔でバースト信号を発生させて出力するバースト信号発生部とよりなり、前記電力送信電圧調整部が、制御二次側インダクタの両端に発生する交流信号から、バースト信号が伝送されたことを検出するバースト信号検出部と、該バースト信号検出部が検出したバースト信号の出力間隔を測定する間隔測定部と、該間隔測定部が測定したバースト信号の出力間隔に基づいて、受信側負荷の電力が不足であるか、または過剰となっているかを判定し、電力一次側インダクタに供給する交流信号を制御し、電力一次側インダクタを励磁させる時間、または励磁させる回数を増減させる調整部とよりなるものである。
【００１６】
また、本願のその他の発明の概要を簡単に示す。
【００１７】
本発明は、前記電力受信部が、磁界変化を受けて起電力を発生する電力二次側インダクタと、該電力二次側インダクタの両端に発生する交流電圧を直流に変換する整流器と、該整流器から出力される受信側負荷に供給される電圧レベルを測定し、測定した電圧レベルに応じてバースト信号を出力する間隔を調整してバースト信号を出力する電力受信電圧調整部と、電力二次側インダクタの一方の端部と整流器との間に接続され、電力受信電圧調整部が発生したバースト信号に基づいてオン／オフ動作し、電力二次側インダクタの直列インピーダンスを変化させるスイッチ部とを備え、前記電力送信部が、交流信号に基づいて励磁する電力一次側インダクタと、該電力一次側インダクタと寄生容量により生じる共振周波数を除去するフィルタ部と、該フィルタ部から出力される信号からバースト信号を検出し、検出したバースト信号から出力間隔を測定して受信側負荷の電力が不足であるか、または過剰となっているかを判定し、電力一次側インダクタに供給する交流信号を制御して電力受信部に送信する電力増減を制御する電力送信電圧調整部とを備えたものである。
【００１８】
さらに、本発明は、前記電力受信電圧調整部が、整流器から出力される受信側負荷に供給される電圧レベルが、下限電圧しきい値よりも低いか、下限電圧しきい値よりも高い上限電圧しきい値よりも高いか、または下限電圧しきい値と上限電圧しきい値との間の基準電圧範囲内であるかを検出する電圧検出部と、該電圧検出部が検出した電圧レベルに基づいて、バースト信号を出力する間隔を設定するバースト間隔設定部と、該バースト間隔設定部が設定した間隔でバースト信号を発生させ、スイッチ部を動作制御するバースト信号発生部とよりなり、電力送信電圧調整部が、フィルタ部をから出力されるバースト信号と電力一次側インダクタの励磁信号とが合わさった信号から、バースト信号を検出するバースト信号検出部と、該バースト信号検出部が検出したバースト信号の出力間隔を測定する間隔測定部と、該間隔測定部が測定したバースト信号の出力間隔に基づいて、受信側負荷の電力が不足であるか、または過剰となっているかを判定し、電力一次側インダクタに供給する交流信号を制御し、電力一次側インダクタを励磁させる時間、または励磁させる回数を増減させる調整部とよりなるものである。
【発明の効果】
【００１９】
本願において開示される発明のうち、代表的なものによって得られる効果を簡単に説明すれば以下のとおりである。
【００２０】
（１）受信側負荷の消費電力に応じて電力を送信することができるので、無駄な電力送信を防止することができ、低消費電力化を実現することができる。
【００２１】
（２）また、共振やノイズなどによる誤動作を低減することができる。
【００２２】
（３）上記（１）、（２）により、非接触による電力送信における信頼性を向上させることができ、かつ安定した電源電圧を消費電力を低減しながら供給することができる。
【図面の簡単な説明】
【００２３】
【図１】本発明の実施の形態１による電力供給制御システムの構成の一例を示す説明図である。
【図２】図１の電力供給制御システムにおけるバースト信号検出部、無信号時間測定部、電位差検出部、バースト間隔設定部、ならびにバースト信号発生部の構成の一例を示した説明図である。
【図３】受信側負荷の電圧が低下した際の図１の電力供給制御システムにおける各部の信号のタイミングチャートである。
【図４】受信側負荷の電圧が上昇した際の図１の電力供給制御システムにおける各部の信号のタイミングチャートである。
【図５】図１の電力供給制御システムを携帯電話に適用した際の一例を示す説明図である。
【図６】図１の電力供給制御システムをパーソナルコンピュータに適用した際の一例を示す説明図である。
【図７】図１の電力供給制御システムをおもちゃに適用した際の一例を示す説明図である。
【図８】本発明の実施の形態２による電力供給制御システムの構成の一例を示す説明図である。
【図９】図８の電力供給制御システムにおけるバースト信号検出部、無信号時間測定部、周波数フィルタ、電位差検出部、バースト間隔設定部、バースト信号発生部、およびスイッチの構成の一例を示した説明図である。
【図１０】図９の電力供給制御システムに設けられた周波数フィルタの特性の一例を示す説明図である。
【図１１】受信側負荷の電圧が低下した際の図８の電力供給制御システムにおける各部の信号のタイミングチャートである。
【図１２】受信側負荷の電圧が上昇した際の図８の電力供給制御システムにおける各部の信号のタイミングチャートである。
【発明を実施するための形態】
【００２４】
以下、本発明の実施の形態を図面に基づいて詳細に説明する。なお、実施の形態を説明するための全図において、同一の部材には原則として同一の符号を付し、その繰り返しの説明は省略する。
【００２５】
（実施の形態１）
図１は、本発明の実施の形態１による電力供給制御システムの構成の一例を示す説明図、図２は、図１の電力供給制御システムにおけるバースト信号検出部、無信号時間測定部、電位差検出部、バースト間隔設定部、ならびにバースト信号発生部の構成の一例を示した説明図、図３は、受信側負荷の電圧が低下した際の図１の電力供給制御システムにおける各部の信号のタイミングチャート、図４は、受信側負荷の電圧が上昇した際の図１の電力供給制御システムにおける各部の信号のタイミングチャート、図５は、図１の電力供給制御システムを携帯電話に適用した際の一例を示す説明図、図６は、図１の電力供給制御システムをパーソナルコンピュータに適用した際の一例を示す説明図、図７は、図１の電力供給制御システムをおもちゃに適用した際の一例を示す説明図である。
【００２６】
本実施の形態１において、電力供給制御システム１は、非接触により電力を供給するシステムであり、受信側の負荷の消費電力に応じて電力を供給する。電力供給システムとなる電力供給制御システム１は、図１に示すように、電力を送信する電力送信部２と電力を受信する電力受信部３とから構成されている。
【００２７】
電力供給制御システム１を、たとえば、プリンタに適用した際には、電力送信部２がプリンタ本体に設けられ、電力受信部３は、インクカートリッジに設けられることになり、電力送信部２と電力受信部３との間で非接触により、電力が供給される。
【００２８】
電力送信部２は、送信側電源４、交流発生部５、パルス幅調整部６、バースト信号検出部７、無信号時間測定部８、電力一次側インダクタ９、および制御二次側インダクタ１０から構成されている。また、これらパルス幅調整部６、バースト信号検出部７、ならびに無信号時間測定部８によって、電力送信調整部が構成されている。
【００２９】
送信側電源４には、交流発生部５が接続されている。交流発生部５には、調整部となるパルス幅調整部６が接続されており、該パルス幅調整部６には、電力一次側インダクタ９が接続されている。
【００３０】
制御二次側インダクタ１０には、バースト信号検出部７が接続されており、該バースト信号検出部７には、間隔測定部となる無信号時間測定部８が接続されている。この無信号時間測定部８には、パルス幅調整部６が接続されている。
【００３１】
送信側電源４は、直流電源を供給する。交流発生部５は、送信側電源４から供給された直流電源を交流に変換する。パルス幅調整部６は、交流発生部５の出力と無信号時間測定部８との出力信号に基づき、電力一次側インダクタ９を励磁させる時間を調整する。
【００３２】
バースト信号検出部７は、制御二次側インダクタ１０の両端に発生する交流信号から、受信側負荷Ｌに供給される電力の不足や過剰などを知らせるバースト信号が伝送されたことを検出する。無信号時間測定部８は、バースト信号とバースト信号の間の無信号状態の時間を測定する。
【００３３】
電力一次側インダクタ９は、パルス幅調整部６の出力信号により励磁される。制御二次側インダクタ１０は、制御一次側インダクタ１６の磁界変化を受けて起電力を発生させる。
【００３４】
また、電力受信部３は、整流器１１、電位差検出部１２、バースト間隔設定部１３、バースト信号発生部１４、電力二次側インダクタ１５、ならびに制御一次側インダクタ１６から構成されている。また、これら電位差検出部１２、バースト間隔設定部１３、ならびにバースト信号発生部１４によって電力受信調整部が構成されている。
【００３５】
整流器１１の入力部には、電力二次側インダクタ１５が接続されており、該整流器１１の出力部には、受信側負荷Ｌ、および電圧検出部となる電位差検出部１２がそれぞれ接続されている。電力二次側インダクタ１５は、電力一次側インダクタ９の磁界変化を受けて起電力を発生する。
【００３６】
整流器１１は、電力二次側インダクタ１５の両端に発生する交流電圧を直流に変換する。電位差検出部１２は、整流器１１から出力される電圧レベルが予め設定された任意の電圧範囲内であるか否かを判定する。
【００３７】
電位差検出部１２には、バースト間隔設定部１３が接続されており、該バースト間隔設定部１３には、バースト信号発生部１４が接続されている。このバースト信号発生部１４には、制御一次側インダクタ１６が接続されている。
【００３８】
バースト間隔設定部１３は、電位差検出部１２から出力される判定結果に基づいてバースト信号を伝達させない時間を設定する。バースト信号発生部１４は、バースト信号を発生させる。
【００３９】
また、図２は、電力供給制御システム１におけるバースト信号検出部７、無信号時間測定部８、電位差検出部１２、バースト間隔設定部１３、ならびにバースト信号発生部１４の構成の一例を示した説明図である。
【００４０】
バースト信号検出部７は、差動増幅器１７とラッチ回路１８とから構成されている。差動増幅器１７の正（＋）側入力端子には、制御二次側インダクタ１０の一方の端子が接続されており、該差動増幅器１７の負（−）側入力端子には、制御二次側インダクタ１０の他方の端子が接続されている。
【００４１】
差動増幅器１７の出力部には、ラッチ回路１８の入力部が接続されている。ラッチ回路１８は、バースト信号を受信している間、Ｈｉレベルに出力を保持する。
【００４２】
また、無信号時間測定部８は、発振器１９とカウンタ２０とから構成されている。カウンタ２０には、ラッチ回路１８が接続されている。カウンタ２０は、バースト信号検出部７の出力信号がＬｏの期間に発振器１９から出力されるクロック信号の周期をカウントする。
【００４３】
電位差検出部１２は、レベルシフタ２１，２２、基準電圧発生回路２３、およびコンパレータ２４，２５から構成されている。レベルシフタ２１，２２の入力部には、整流器１１の出力部がそれぞれ接続されており、整流器１１の電圧を任意にそれぞれ異なる電圧レベルにシフトする。
【００４４】
レベルシフタ２１の出力部には、コンパレータ２４の正（＋）側入力端子が接続されており、レベルシフタ２２の出力部には、コンパレータ２５の負（−）側入力端子が接続されている。
【００４５】
また、コンパレータ２４の負（−）側入力端子、およびコンパレータ２５の正（＋）側入力端子には、基準電圧発生回路２３から出力される基準電圧が入力されるようにそれぞれ接続されている。基準電圧発生回路２３は、たとえば、バンドギャップ参照回路、もしくはボタン電池などからなる。
【００４６】
コンパレータ２４，２５は、基準電圧発生回路２３から出力される基準電圧とレベルシフタ２１，２２から出力される電圧レベルを比較し、その結果を出力する。
【００４７】
バースト間隔設定部１３は、セレクタ２６，２７、ならびに分周器２８，２９から構成されており、バースト信号発生部１４は、発振器３０、論理積回路３１、および否定論理積回路３２から構成されている。
【００４８】
分周器２８，２９は、発振器３０から出力されるクロック信号を分周する。分周器２８は、分周器２９よりも大きな周期値が設定された分周器である。分周器２８の出力部には、セレクタ２６の一方の入力部が接続されており、該セレクタ２６の他方の入力部には、セレクタ２７の出力部が接続されている。
【００４９】
分周器２９の出力部には、セレクタ２７の一方の入力部が接続されており、該セレクタ２７の他方の入力部には、基準電位ＶＳＳが接続されている。
【００５０】
また、セレクタ２６の制御端子には、コンパレータ２４の出力部が接続されており、セレクタ２７の制御端子には、コンパレータ２５の出力部が接続されている。セレクタ２６，２７は制御端子に入力される信号に基づいて、２つの入力部のうち、いずれか一方の入力部に入力される信号を選択して出力する。
【００５１】
論理積回路３１の一方の入力部、ならびに否定論理積回路３２の一方の入力部には、発振器３０から出力されるクロック信号が入力されるようにそれぞれ接続されている。また、論理積回路３１の他方の入力部、ならびに否定論理積回路３２の他方の入力部には、セレクタ２６の出力部がそれぞれ接続されている。
【００５２】
次に、本実施の形態における電力供給制御システム１の動作について説明する。
【００５３】
図３は、受信側負荷Ｌの電圧が低下した際の電力供給制御システム１における各部の信号のタイミングチャートである。
【００５４】
図３においては、上方から下方にかけて、受信側負荷Ｌの電圧、電位差検出部１２の出力信号、バースト間隔設定部１３の出力、制御一次側インダクタ１６の端子電圧、制御二次側インダクタ１０の端子電圧、バースト信号検出部７の出力信号、無信号時間測定部８の出力信号、およびパルス幅調整部６の出力信号におけるそれぞれの信号タイミングを示している。
【００５５】
まず、受信側負荷Ｌの電源電圧が予め設定された下限電圧しきい値よりも低下すると、電位差検出部１２は、該受信側負荷Ｌの電源電圧が下限電圧しきい値よりも低くなったことを検出し、その検出結果をバースト間隔設定部１３に出力する。
【００５６】
バースト間隔設定部１３は、受信側負荷Ｌの電圧値が低下したことを通知するバースト送信の期間とバースト送信を停止する期間（図３の例では２サイクル分）に相当する幅のパルス（分周器２８よりも小さな周期値が設定された分周器２９から出力されるパルス）を出力する。
【００５７】
続いて、バースト信号発生部１４において、論理積回路３１、および否定論理積回路３２がバースト間隔設定部１３の出力に基づいてバースト信号と無信号とが交互に繰り返されるよう制御一次側インダクタ１６を励磁する。制御二次側インダクタ１０には、制御一次側インダクタ１６の磁界変化を受けて、バースト信号と無信号とが交互に繰り返される電圧変化が生じる。
【００５８】
バースト信号検出部７は、この起電力を受けて差動増幅器１７によってバースト信号の期間がＨｉレベル、無信号の期間がＬｏレベルとなるパルス信号を発生する。無信号時間測定部８は、バースト信号検出部７がバースト信号を検知したことで活性化し、カウンタ２０によってバースト信号検出部７から出力されるバースト信号とバースト信号との間の無信号の期間を測定する。
【００５９】
無信号時間測定部８は、測定結果をパルス幅調整部６に出力する。図３では、無信号の期間が繰り返し２サイクル検出されている。無信号の期間が２サイクルの場合は、受信側負荷Ｌの電圧値が下限電圧しきい値よりも低下していることを示している。
【００６０】
よって、パルス幅調整部６は、受信側負荷Ｌの電圧値が低下していると検知された通知(無信号期間が２サイクル)を無信号時間測定部８から受け取ると、電力一次側インダクタ９を励磁させる時間を長くするか、あるいは励磁させる回数を多くするように、交流発生部５から出力される信号を加工して出力する。
【００６１】
この結果、電力一次側インダクタ９の磁界結合を介して、電力二次側インダクタ１５に発生する起電力は増加する。そして、受信側負荷Ｌの電圧が下限電圧しきい値よりも上昇すると、電位差検出部１２は、受信側負荷Ｌの電圧値が任意の電圧範囲内であることを検出し、バースト間隔設定部１３に通知する。
【００６２】
バースト間隔設定部１３は、予め設定された電圧の範囲内であるのでパルス信号の発生を停止する。バースト信号発生部１４は、バースト間隔設定部１３がパルス信号の発生を停止したこと受けて、制御一次側インダクタ１６の励磁を停止する。
【００６３】
これにより、制御二次側インダクタ１０には、バースト信号に相当する起電力が発生しなくなるので、バースト信号検出部７は、バースト信号が検出されないＬｏレベルの状態となる。
【００６４】
無信号時間測定部８による無信号期間の測定が、任意の時間以上続くと、パルス幅調整部６は、受信側負荷Ｌの電圧値が設定範囲内であると判定し、電力一次側インダクタ９を励磁させる時間、または励磁させる回数を現状の値のまま持続する。この結果、電力一次側インダクタ９の磁界結合を介して電力二次側インダクタ１５に発生する起電力は持続される。
【００６５】
また、図４は、受信側負荷Ｌの電圧が上昇した際の電力供給制御システム１における各部の信号のタイミングチャートである。
【００６６】
図４においては、図３と同様に、上方から下方にかけて、受信側負荷Ｌの電圧、電位差検出部１２の出力信号、バースト間隔設定部１３の出力、制御一次側インダクタ１６の端子電圧、制御二次側インダクタ１０の端子電圧、バースト信号検出部７の出力信号、無信号時間測定部８の出力信号、およびパルス幅調整部６の出力信号におけるそれぞれの信号タイミングを示している。
【００６７】
まず、受信側負荷Ｌの電圧が予め設定された任意の上限電圧しきい値より上昇すると、電位差検出部１２は、受信側負荷Ｌの電圧が上限電圧しきい値よりも高くなったことを検出し、バースト間隔設定部１３に伝える。
【００６８】
バースト間隔設定部１３は、受信側負荷Ｌの電圧が上限電圧しきい値よりも高くなったことを通知するためのバースト送信の期間とバースト送信を停止する期間（図４の例では５サイクル分）に相当する幅のパルス(分周器２８のパルス)を発生する。
【００６９】
これを受けて、バースト信号発生部１４は、バースト間隔設定部１３の出力信号に基づいてバースト信号と無信号とが交互に繰り返されるよう制御一次側インダクタ１６を励磁する。
【００７０】
制御二次側インダクタ１０には、制御一次側インダクタ１６の磁界変化を受けて、バースト信号と無信号とが交互に繰り返される電圧変化が生じる。バースト信号検出部７は、この起電力を受けてバースト信号の期間はＨｉレベル、無信号の期間はＬｏレベルとなるパルス信号を発生する。
【００７１】
無信号時間測定部８は、バースト信号検出部７がバースト信号を検知したことで活性化し、バースト信号検出部７から出力されるバースト信号とバースト信号との間の無信号の期間を測定し、パルス幅調整部６に通知する。
【００７２】
図４では、無信号期間が繰り返し５サイクル検出されている。この場合、無信号の期間が５サイクルの場合は、受信側負荷Ｌの電圧値が上限電圧しきい値よりも上昇していることを示している。
【００７３】
よって、パルス幅調整部６は、受信側負荷Ｌの電圧値が上限電圧しきい値よりも高いと判断し、電力一次側インダクタ９を励磁させる時間を短くするか、あるいは励磁させる回数を少なくするように、交流発生部５から出力される信号を加工して出力する。
【００７４】
この結果、電力一次側インダクタ９の磁界結合を介して、電力二次側インダクタ１５に発生する起電力は減少する。受信側負荷Ｌの電圧が上限電圧しきい値よりも低下すると、電位差検出部１２は、受信側負荷Ｌの電圧値が設定範囲内であることを検出し、バースト間隔設定部１３に伝える。
【００７５】
バースト間隔設定部１３は、受信側負荷Ｌの電圧値が設定範囲内であるのでパルス信号の発生を停止する。バースト信号発生部１４は、バースト間隔設定部１３の出力を受けて制御一次側インダクタ１６の励磁を停止する。
【００７６】
無信号時間測定部８による無信号期間の測定が、任意の時間以上続くと、パルス幅調整部６は、受信側負荷Ｌの電圧値が設定範囲内であると判定し、電力一次側インダクタ９を励磁させる時間、または励磁させる回数を現状の値のまま持続する。この結果、電力一次側インダクタ９の磁界結合を介して電力二次側インダクタ１５に発生する起電力は持続される。
【００７７】
このように、電力供給制御システム１は、制御二次側インダクタ１０に現れたバースト信号の検知／非検知によって、電力一次側インダクタ９の電流量の調整開始／終了をそれぞれ行い、バースト信号検知後のバースト無信号時間の長短によって、電力一次側インダクタ９の電流量の増減をそれぞれ行うので、受信側負荷Ｌの消費電力に応じた電力を送信することができる。
【００７８】
次に、電力供給制御システム１を様々な電子機器などの適用した際の形態を、図５〜図７に示す。
【００７９】
図５は、電力供給制御システム１を携帯電話３３に適用した際の一例を示している。この場合、携帯電話３３は、上面部３３ａと下面部３３ｂとからなり、これらが上下にスライドするスライド式となっている。
【００８０】
そして、電力供給制御システム１における電力送信部２は、下面部３３ｂに設けられ、電力受信部３は、上面部３３ａに設けられる。電力送信部２、および電力受信部３は、図５の左側に示すように、上面部３３ａと下面部３３ｂとがスライドしていない状態では対向せず、図５の右側に示すように、上面部３３ａと下面部３３ｂとをスライドさせた際にそれぞれが対向するような位置に備えられている。
【００８１】
よって、上面部３３ａと下面部３３ｂとをスライドさせた際に、電力受信部３に電力が送信され、たとえば、上面部３３ａに設けられた液晶ディスプレイ３３ｃなどに電力が供給される構造となっている。
【００８２】
図６は、電力供給制御システム１をノート型のパーソナルコンピュータ３４に適用した際の一例を示している。この場合、電力送信部２は、図示するように、パーソナルコンピュータ３４の本体３４ａのコーナ部に設け、電力受信部３は、パーソナルコンピュータ３４の液晶ディスプレイ３４ｂのコーナ部などに設ける。
【００８３】
そして、液晶ディスプレイ３４ｂを開けた際に、電力送信部２と電力受信部３とが対向するようになり、該液晶ディスプレイ３４ｂに電力が送信されることになる。
【００８４】
図７は、電力供給制御システム１をおもちゃ３５に適用した際の一例を示している。おもちゃ３５は、図示するように、たとえば、ぬいぐるみ３５ａと該ぬいぐるみ３５ａを載置するぬいぐるみ台３５ｂからなる。
【００８５】
ぬいぐるみ台３５ｂには、電力送信部２が設けられており、ぬいぐるみ３５ａの下部には、電力受信部３が設けられている。そして、ぬいぐるみ３５ａをぬいぐるみ台３５ｂに搭載した際に電力送信部２と電力受信部３とが対向するようになる。
【００８６】
ぬいぐるみ３５ａには、たとえば、圧電サウンダ３６、および該圧電サウンダ３６を制御する制御回路と電力受信部３とを搭載した制御基板３７などが内蔵されている。電力送信部２から電力受信部３に電力が送信されることによって制御基板３７の制御回路に電力を供給し、該制御回路の制御によって圧電サウンダ３６から任意のビープ音などを発生させる。
【００８７】
このように、電力供給制御システム１を用いることにより、たとえば、電池を内蔵するスペースのない液晶表示部分や電池交換の蓋を設けられないおもちゃなどの様々な電子機器に電力を供給することができ、しかも電力供給を非接触で行うことができるので、接合部分を動かしても磨耗や断線などの問題を回避することができる。
【００８８】
それにより、本実施の形態１によれば、受信側負荷Ｌの消費電力に応じて電力を送信するので、電力の無駄を省くことができ、低消費電力化を実現することができる。
【００８９】
また、バースト信号の有無で電力一次側インダクタ９の電流量の調整開始／終了を行うので、Ｈｉレベル（’１’）、Ｌｏレベル（’０’）を判定する必要がなくなり、’１’、’０を復調する回路を不要とすることができ、電力供給制御システム１の回路規模の増大を防止することができる。
【００９０】
さらに、バースト信号とバースト信号との間の無信号時におけるサイクル数によって電力一次側インダクタ９の電流量の増減を行うので、共振波形やノイズ波形が混入した際の誤動作を低減することができる。
【００９１】
また、バースト信号を発生するバースト信号発生部１４が簡単な回路構成で実現することができるので、電力供給制御システム１の回路規模をより小さくすることができる。
【００９２】
（実施の形態２）
図８は、本発明の実施の形態２による電力供給制御システムの構成の一例を示す説明図、図９は、図８の電力供給制御システムにおけるバースト信号検出部、無信号時間測定部、周波数フィルタ、電位差検出部、バースト間隔設定部、バースト信号発生部、およびスイッチの構成の一例を示した説明図、図１０は、図９の電力供給制御システムに設けられた周波数フィルタの特性の一例を示す説明図、図１１は、受信側負荷の電圧が低下した際の図８の電力供給制御システムにおける各部の信号のタイミングチャート、図１２は、受信側負荷の電圧が上昇した際の図８の電力供給制御システムにおける各部の信号のタイミングチャートである。
【００９３】
本実施の形態２において、電力供給制御システム１は、前記実施の形態１の図１における制御一次側インダクタ１６、および制御二次側インダクタ１０を不要とする構成としたものである。
【００９４】
電力供給制御システム１は、図８に示すように、前記実施の形態１と同様に、電力送信部２と電力受信部３とから構成されている。電力送信部２は、前記実施の形態１の図１の構成に、フィルタ部となる周波数フィルタ３８が新たに設けられ、制御二次側インダクタ１０が省かれている。
【００９５】
また、電力受信部３は、前記実施の形態１の図１の構成に、スイッチ部となるスイッチ３９が新たに設けられ、制御一次側インダクタ１６が省かれている。
【００９６】
周波数フィルタ３８の入力部には、電力一次側インダクタ９の両端がそれぞれ接続されており、該周波数フィルタ３８の出力部には、バースト信号検出部７が接続されている。また、スイッチ３９の一方の接続部には、電力二次側インダクタ１５の一方の端部が接続されており、該スイッチ３９の他方の接続部には、整流器１１の一方の入力部が接続されている。
【００９７】
このスイッチ３９の制御端子には、バースト信号発生部１４の出力部が接続されている。その他の接続構成については、前記実施の形態１の図１と同様であるので、説明は省略する。
【００９８】
図９は、図８の電力供給制御システム１におけるバースト信号検出部７、無信号時間測定部８、周波数フィルタ３８、電位差検出部１２、バースト間隔設定部１３、バースト信号発生部１４、およびスイッチ３９の構成の一例を示した説明図である。
【００９９】
周波数フィルタ３８は、ローパスフィルタ３８ａ，３８ｂから構成されている。また、バースト信号検出部７は、図２の差動増幅器１７とラッチ回路１８に、新たに差動増幅器４０、および論理和回路４１が設けられている。
【０１００】
ローパスフィルタ３８ａの入力部には、電力一次側インダクタ９の一方の端部が接続されており、ローパスフィルタ３８ｂの入力部には、電力一次側インダクタ９の他方の端部が接続されている。
【０１０１】
ローパスフィルタ３８ａの出力部には、差動増幅器１７の正（＋）側入力端子が接続されており、該差動増幅器１７の負（−）側入力端子には、送信側電源４の基準電位ＶＳＳが接続されている。
【０１０２】
ローパスフィルタ３８ｂの出力部には、差動増幅器４０の負（−）側入力端子が接続されており、該差動増幅器４０の正（＋）側入力端子には、送信側電源４の電源電圧Ｖｃｃが接続されている。
【０１０３】
ローパスフィルタ３８ａ，３８ｂは、電力一次側インダクタ９と寄生容量により生じる共振周波数を除去するために、たとえば、図１０に示すように、バースト信号よりも高い周波数を減衰させる特性を有するフィルタである。
【０１０４】
差動増幅器１７の出力部には、論理和回路４１の一方の入力部が接続されており、差動増幅器４０の出力部には、論理和回路４１の他方の入力部が接続されている。この論理和回路４１の出力部は、ラッチ回路１８の入力部が接続されている。
【０１０５】
また、スイッチ３９は、たとえば、ＰチャネルＭＯＳトランジスタからなる。トランジスタの一方の接続部には、電力二次側インダクタ１５の一方の端部が接続されており、該トランジスタの他方の接続部には、整流器１１の一方の入力部が接続されている。
【０１０６】
このトランジスタのゲート（制御端子）には、バースト信号発生部１４の出力部が接続されている。
【０１０７】
バースト信号発生部１４は、発振器３０と論理積回路３１とからなり、前記実施の形態１の図２に示したバースト信号発生部１４の構成から、否定論理積回路３２を省いた構成となっている。
【０１０８】
スイッチ３９を構成するトランジスタは、バースト信号発生部１４の論理積回路３１から出力される信号に基づいて、ＯＮ／ＯＦＦ制御される。また、その他の構成、および接続については、前記実施の形態１の図２と同様であるので、説明は省略する。
【０１０９】
図１１は、受信側負荷Ｌの電圧が低下した際の電力供給制御システム１における各部の信号のタイミングチャートである。
【０１１０】
図１１においては、上方から下方にかけて、受信側負荷Ｌの電圧、電位差検出部１２の出力信号、バースト間隔設定部１３の出力、電力二次側インダクタ１５の端子電圧、電力一次側インダクタ９の端子電圧、周波数フィルタ３８の出力信号、バースト信号検出部７の出力信号、無信号時間測定部８の出力信号、およびパルス幅調整部６の出力信号におけるそれぞれの信号タイミングを示している。
【０１１１】
まず、受信側負荷Ｌの電圧が下限電圧しきい値よりも低下すると、電位差検出部１２は受信側負荷Ｌの電圧が下限電圧しきい値よりも低くなったことを検出し、バースト間隔設定部１３に伝える。
【０１１２】
バースト間隔設定部１３は、受信側負荷Ｌの電圧が下限電圧しきい値よりも低いことを通知するためのバースト送信の期間とバースト送信を停止する期間（図１１では２サイクル分）に相当する幅のパルスを発生する。
【０１１３】
バースト信号発生部１４は、バースト間隔設定部１３の出力に基づいてバースト信号と無信号とが交互に繰り返される信号をスイッチ３９に印加する。スイッチ３９は、バースト状にインピーダンスが変化する期間と変化しない期間とが交互に繰り返されるようインピーダンス値を変化させる。
【０１１４】
電力一次側インダクタ９には、電力二次側インダクタ１５の直列インピーダンスの変化が作用して、バースト信号と無信号とが交互に繰り返される電圧変化が、パルス幅調整部６の出力に重畳されて現れる。
【０１１５】
また、電力一次側インダクタ９の端子には、インダクタと寄生容量による共振波形（リンギング波形）も現れる。周波数フィルタ３８は、所定の周波数帯域より高い周波数を減衰させるので共振波形を減衰させる。
【０１１６】
バースト信号と電力一次側インダクタの励磁信号とが合わさった信号をバースト信号検出部７に伝える。バースト信号検出部７は、励磁信号からバースト信号による起電力のみを取り出し、バースト信号の期間はＨｉレベル、無信号の期間はＬｏレベルとなるパルス信号を発生する。
【０１１７】
無信号時間測定部８は、バースト信号検出部７がバースト信号を検知したことで活性化し、バースト信号検出部７の出力信号のＨｉレベルとＨｉレベルとの間(無信号期間)の時間を測定する。
【０１１８】
図１１では、２サイクルが繰り返し検出されたので、受信側負荷Ｌの電圧値は低下しているものと判定して、パルス幅調整部６に通知する。パルス幅調整部６は、受信側負荷Ｌの電圧値が低下していると検知された場合、電力一次側インダクタ９を励磁させる時間を長くするか、あるいは励磁させる回数を多くするように、交流発生部５の出力信号を加工して出力する。
【０１１９】
この結果、電力一次側インダクタ９の磁界結合を介して電力二次側インダクタ１５に発生する起電力は増加する。受信側負荷Ｌの電圧が下限電圧しきい値が上昇すると、電位差検出部１２は電圧値の設定範囲内であることを検出し、バースト間隔設定部１３に伝える。
【０１２０】
バースト間隔設定部１３は、電圧値の設定範囲内であるのでパルス信号の発生を停止する。バースト信号発生部１４は、バースト間隔設定部１３の出力を受けてスイッチ３９へのバースト信号の印加を停止する。
【０１２１】
電力一次側インダクタ９には、バースト信号に相当する起電力は発生しなくなるので、バースト信号検出部７は、バースト信号が検出されないＬｏレベルの状態となる。無信号時間測定部８は、所定の時間以上Ｌｏレベルが続いたので、受信側負荷の電圧値は所定の範囲内と判定して、パルス幅調整部６に通知する。
【０１２２】
パルス幅調整部６は、受信側負荷Ｌの電圧値が所定の範囲内まで回復したので、電力一次側インダクタ９を励磁させる時間、または励磁させる回数を現状の値のまま持続する。この結果、電力一次側インダクタ９の磁界結合を介して電力二次側インダクタ１５に発生する起電力は持続される。
【０１２３】
図１２は、受信側負荷Ｌの電圧が上昇した際の電力供給制御システム１における各部の信号のタイミングチャートである。この図１２においても、図１１と同様の信号タイミングをそれぞれ示している。
【０１２４】
まず、受信側負荷Ｌの電圧が上限電圧しきい値よりも上昇すると、電位差検出部１２は、受信側負荷Ｌの電圧が上限電圧しきい値よりも高くなったことを検出し、バースト間隔設定部１３に伝える。
【０１２５】
バースト間隔設定部１３は、電圧値が高いことを通知するためのバースト送信の期間とバースト送信を停止する期間（図１２の例では５サイクル分）に相当する幅のパルスを発生する。
【０１２６】
バースト信号発生部１４は、バースト間隔設定部１３の出力に基づいてバースト信号と無信号とが交互に繰り返される信号をスイッチ３９に印加する。スイッチ３９は、バースト状にインピーダンスが変化する期間と変化しない期間とが交互に繰り返されるようインピーダンス値を変化させる。
【０１２７】
電力一次側インダクタ９には、電力二次側インダクタ１５の直列インピーダンスの変化が作用して、バーストと無信号とが交互に繰り返される電圧変化が、パルス幅調整部６の出力に重畳されて現れる。
【０１２８】
また、電力一次側インダクタ９の端子には、インダクタと寄生容量による共振波形（リンギング波形）も現れる。周波数フィルタ３８は、所定の周波数帯域より高い周波数を減衰させるので共振波形を減衰させる。
【０１２９】
それにより、バースト信号と電力一次側インダクタの励磁信号とが合わさった信号をバースト信号検出部７に伝える。バースト信号検出部７は、励磁信号からバースト信号による起電力のみを取り出し、バースト信号の期間はＨｉレベル、無信号の期間はＬｏレベルとなるパルス信号を発生する。
【０１３０】
無信号時間測定部８は、バースト信号検出部７がバースト信号を検知したことで活性化し、バースト信号検出部７の出力信号のＨｉレベルとＨｉレベルとの間(無信号)の時間を測定する。
【０１３１】
図１２では、５サイクルが繰り返し検出されたので、受信側負荷Ｌの電圧値は上昇しているものと判定して、パルス幅調整部６に通知する。パルス幅調整部６は、受信側負荷Ｌの電圧値が上昇していると検知された場合、電力一次側インダクタ９を励磁させる時間を短くするか、または励磁させる回数を少なくするように、交流発生部５から出力される信号を加工して出力する。この結果、電力一次側インダクタ９の磁界結合を介して電力二次側インダクタ１５に発生する起電力は減少する。
【０１３２】
受信側負荷Ｌの電圧が上限電圧しきい値よりも下降すると、電位差検出部１２は、電圧値が設定範囲内であることを検出し、バースト間隔設定部１３に伝える。バースト間隔設定部１３は、電圧値の設定範囲内であるのでパルス信号の発生を停止する。
【０１３３】
バースト信号発生部１４は、バースト間隔設定部１３の出力を受けてスイッチ３９へのバースト信号の印加を停止する。電力一次側インダクタ９には、バースト信号に相当する起電力は発生しなくなるので、バースト信号検出部７は、バースト信号が検出されないＬｏレベルの状態となる。
【０１３４】
無信号時間測定部８は、所定の時間以上Ｌｏレベルが続いたので、受信側負荷Ｌの電圧値は所定の範囲内と判定して、パルス幅調整部６に通知する。パルス幅調整部６は、受信側負荷Ｌの電圧値が所定の範囲内まで回復したので、電力一次側インダクタ９を励磁させる時間、あるいは励磁させる回数を現状の値のまま持続する。この結果、電力一次側インダクタ９の磁界結合を介して電力二次側インダクタ１５に発生する起電力は持続される。
【０１３５】
ここで、電位差検出部１２、バースト間隔設定部１３、およびバースト信号発生部１４は受信側負荷Ｌへ供給する電力によって動作するので、受信側への電力伝送を開始する時などは電位差検出部１２、バースト間隔設定部１３、ならびにバースト信号発生部１４への電圧が低く所定の動作をしないためスイッチ３９へはバースト信号を出力しないが、該スイッチ３９をＰチャネルＭＯＳトランジスタで構成しているので、バースト信号が出ない時はスイッチが切れず、その結果、受信側負荷Ｌへの電力伝送は継続される。
【０１３６】
それにより、本実施の形態２では、制御一次側インダクタ、および制御二次側インダクタを不要とすることができるので、非接触面での部品数を削減することができ、小型化を実現することができる。
【０１３７】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【０１３８】
本発明は、携帯電話やプリンタなどの非接触によって電力を供給する構成を有した電子機器に適している。
【符号の説明】
【０１３９】
１  電力供給制御システム
２  電力送信部
３  電力受信部
４  送信側電源
５  交流発生部
６  パルス幅調整部
７  バースト信号検出部
８  無信号時間測定部
９  電力一次側インダクタ
１０  制御二次側インダクタ
１１  整流器
１２  電位差検出部
１３  バースト間隔設定部
１４  バースト信号発生部
１５  電力二次側インダクタ
１６  制御一次側インダクタ
１７  差動増幅器
１８  ラッチ回路
１９  発振器
２０  カウンタ
２１  レベルシフタ
２２  レベルシフタ
２３  基準電圧発生回路
２４  コンパレータ
２５  コンパレータ
２６  セレクタ
２７  セレクタ
２８  分周器
２９  分周器
３０  発振器
３１  論理積回路
３２  否定論理積回路
３３  携帯電話
３３ａ  上面部
３３ｂ  下面部
３３ｃ  液晶ディスプレイ
３４  パーソナルコンピュータ
３４ａ  本体
３４ｂ  液晶ディスプレイ
３５  おもちゃ
３５ａ  ぬいぐるみ
３５ｂ  ぬいぐるみ台
３６  圧電サウンダ
３７  制御基板
３８  周波数フィルタ
３８ａ  ローパスフィルタ
３８ｂ  ローパスフィルタ
３９  スイッチ
４０  差動増幅器
４１  論理和回路
Ｌ  受信側負荷
【図１】
2011155793.tif 000003
【図２】
2011155793.tif 000004
【図３】
2011155793.tif 000005
【図４】
2011155793.tif 000006
【図５】
2011155793.tif 000007
【図６】
2011155793.tif 000008
【図７】
2011155793.tif 000009
【図８】
2011155793.tif 000010
【図９】
2011155793.tif 000011
【図１０】
2011155793.tif 000012
【図１１】
2011155793.tif 000013
【図１２】
2011155793.tif 000014